(57)【要約】【課題】色順次走査において、フリッカーの発生を低減させる。【解決手段】フレーム期間をフィールド期間Ｒ-f、Ｇ-f、Ｂ-fに分けるとともに、さらに各フィールド期間を２つのサブフィールド期間に分ける。例えばフィールド期間Ｒ-fは、サブフィールド期間Ｒ-sf1、Ｒ-sf2に分ける。サブフィールド期間Ｒ-s f1では、光源による光の照射を停止させ、奇数行の走査線と、それに隣接する偶数行の走査線とを順番に選択するとともに、各選択時では、奇数行の走査線に対応し、かつ、Ｒ成分の階調に対応したデータ信号をデータ線に供給して、選択した２行に書き込み、サブフィールド期間Ｒ-sf2では、ＲのＬＥＤ１１Ｒを発光させ、偶数行の走査線を順番に選択するとともに、各選択時では、偶数行の走査線に対応し、かつ、Ｒ成分の階調に対応したデータ信号を、データ線を介して選択した偶数行に書き込む。【選択図】図６
2010181452.tif 000002
【特許請求の範囲】
【請求項１】
互いに異なる複数の色の光を色毎に照射することが可能な光源と、
複数の走査線と複数のデータ線と、
一の前記走査線と一の前記データ線との交点に対応して設けられたスイッチングトランジスタを介してデータ信号が供給される液晶素子と、を備えた液晶表示装置の駆動方法であって、
フレーム期間を複数のフィールド期間に分けるとともに、該フィールド期間をさらに第１サブフィールド期間と第２サブフィールド期間とに分け、
複数の前記走査線をＮ本（Ｎは２以上の整数）の走査線からなる複数の組に分けるとともに、該組毎に第１の走査線を定め、
前記第１フィールド期間の前記第１サブフィールド期間では、
前記光源の光照射を停止させ、複数の前記組を所定の順番で選択するとともに、各選択時では、選択した組の走査線のうち前記第１の走査線に対応するデータ信号を、当該組の複数の走査線に対応する液晶素子に供給し、
前記第１フィールド期間の前記第２サブフィールド期間では、
前記光源が前記複数の色のうち前記第１フィールド期間に対応する第１の色の光を複数の前記液晶素子に照射するように制御し、複数の前記走査線のうち複数の前記組毎に定めた前記第１の走査線以外の走査線を、所定の順番で選択するとともに、各選択時では、選択した走査線に対応するデータ信号を当該走査線に対応する液晶素子に供給し、
前記データ信号の電圧は、予め定められた基準電圧に対して高位側の正極性または低位側の負極性のいずれかであって、
一の前記フレーム期間において、一の前記組の走査線のうち一部の走査線に対応する前記液晶素子には、前記一部の走査線を選択するごとに正極性の前記データ信号と負極性の前記データ信号とを交互に供給し、他の走査線に対応する前記液晶素子には、互いに同一極性の前記データ信号を少なくとも２回連続して供給する
ことを特徴とする液晶表示装置の駆動方法。
【請求項２】
前記組は、互いに隣り合う一対の奇数行の走査線と偶数行の走査線とからなり、
一の前記フレームにおいて、一の前記組の前記一対の走査線のうち一方を前記第１の走査線とし、他方を第２の走査線とし、
前記第１の走査線を、正極性の前記データ信号と負極性の前記データ信号とが交互に供給される前記一部の走査線とし、
前記第２の走査線を、互いに同一極性の前記データ信号が少なくとも２回連続して供給される前記他の走査線とし、
一の前記フィールド期間の前記第１サブフィールド期間にて前記第２の走査線に対応する前記液晶素子に供給したデータ信号と同一極性のデータ信号を、前記一のフィールド期間の前記第２サブフィールド期間にて当該液晶素子に供給する
ことを特徴とする請求項１に記載の液晶表示装置の駆動方法。
【請求項３】
前記一の組において、
連続する第１のフレーム期間および第２のフレーム期間のうち、前記第１のフレーム期間では、前記奇数行の走査線を前記第１の走査線とし、
前記第２のフレーム期間では、前記偶数行の走査線を前記第１の走査線とする
ことを特徴とする請求項２に記載の液晶表示装置の駆動方法。
【請求項４】
前記組は、互いに隣り合う一対の奇数行の走査線と偶数行の走査線とからなり、
一の前記フレームにおいて、一の前記組の前記走査線のうち一方を前記第１の走査線とし、他方を第２の走査線とし、
前記第１の走査線を、互いに同一極性の前記データ信号が少なくとも２回連続して供給される前記他の走査線とし、
前記第２の走査線を、正極性の前記データ信号と負極性の前記データ信号とが交互に供給される前記一部の走査線とし、
前記一の組の前記一対の走査線に対応する液晶素子に対し、互いに同一極性のデータ信号を、前記一のフレーム期間における複数の前記フィールド期間各々の前記第１サブフィールド期間に供給する
ことを特徴とする請求項１に記載の液晶表示装置の駆動方法。
【請求項５】
前記一の組において、
連続する第１のフレーム期間および第２のフレーム期間のうち、前記第１のフレーム期間では、前記奇数行の走査線を前記第１の走査線とし、
前記第２のフレーム期間では、前記偶数行の走査線を前記第１の走査線とする
ことを特徴とする請求項４に記載の液晶表示装置の駆動方法。
【発明の詳細な説明】
【技術分野】
【０００１】
本発明は、いわゆる色順次走査の液晶表示装置の駆動方法に関する。
【背景技術】
【０００２】
一般に、色順次走査では、１コマのカラー画像を形成するためのフレーム期間を、例えば赤（Ｒ）、緑（Ｇ）、青（Ｂ）の３つの原色に対応するフィールド期間に分割し、各フィールド期間において、原色成分の階調（明るさ）に応じた情報（例えば電圧）を表示パネルの画素に書き込んで、当該原色の光を表示パネルに照射する構成となっている（特許文献１参照）。このような色順次走査では、表示素子にカラーフィルター等を設けなくて済むほか、１画素をＲ、Ｇ、Ｂのサブ画素に分割しなくて済むので、高精細化が容易となる。
【先行技術文献】
【特許文献】
【０００３】
【特許文献１】特開平１１−２３７６０６号公報（段落００４３、図１０）
【発明の概要】
【発明が解決しようとする課題】
【０００４】
しかしながら、色順次走査では、フレーム期間をフィールド期間に分割するため、画素への書込期間が短くなる。このため、画素に液晶素子を用いる構成では、書込特性などがばらつきやすくなるので、フリッカーが発生する大きな要因となる。
本発明は、上述した事情に鑑みてなされたもので、その目的の一つは、色順次走査において、フリッカーの発生を低減させる技術を提供することにある。
【課題を解決するための手段】
【０００５】
本発明に係る液晶表示装置の駆動方法は、互いに異なる複数の色の光を色毎に照射することが可能な光源と、複数の走査線と複数のデータ線と、一の前記走査線と一の前記データ線との交点に対応して設けられたスイッチングトランジスタを介してデータ信号が供給される液晶素子と、を備えた液晶表示装置の駆動方法であって、フレーム期間を複数のフィールド期間に分けるとともに、該フィールド期間をさらに第１サブフィールド期間と第２サブフィールド期間とに分け、複数の前記走査線をＮ本（Ｎは２以上の整数）の走査線からなる複数の組に分けるとともに、該組毎に第１の走査線を定め、前記第１フィールド期間の前記第１サブフィールド期間では、前記光源の光照射を停止させ、複数の前記組を所定の順番で選択するとともに、各選択時では、選択した組の走査線のうち前記第１の走査線に対応するデータ信号を、当該組の複数の走査線に対応する液晶素子に供給し、前記第１フィールド期間の前記第２サブフィールド期間では、前記光源が前記複数の色のうち前記第１フィールド期間に対応する第１の色の光を複数の前記液晶素子に照射するように制御し、複数の前記走査線のうち複数の前記組毎に定めた前記第１の走査線以外の走査線を、所定の順番で選択するとともに、各選択時では、選択した走査線に対応するデータ信号を当該走査線に対応する液晶素子に供給し、前記データ信号の電圧は、予め定められた基準電圧に対して高位側の正極性または低位側の負極性のいずれかであって、一の前記フレーム期間において、一の前記組の走査線のうち一部の走査線に対応する前記液晶素子には、前記一部の走査線を選択するごとに正極性の前記データ信号と負極性の前記データ信号とを交互に供給し、他の走査線に対応する前記液晶素子には、互いに同一極性の前記データ信号を少なくとも２回連続して供給することを特徴とする。本発明によれば、第１サブフィールド期間において同極性電圧がすでに書き込まれた後に、第２サブフィールド期間において書き込みが実行されるので、書込特性が向上する。このため、色順次走査においてフリッカーの発生を低減させることが可能となる。
【０００６】
本発明において、前記組は、互いに隣り合う一対の奇数行の走査線と偶数行の走査線とからなり、一の前記フレームにおいて、一の前記組の前記一対の走査線のうち一方を前記第１の走査線とし、他方を第２の走査線とし、前記第１の走査線を、正極性の前記データ信号と負極性の前記データ信号とが交互に供給される前記一部の走査線とし、前記第２の走査線を、互いに同一極性の前記データ信号が少なくとも２回連続して供給される前記他の走査線とし、一の前記フィールド期間の前記第１サブフィールド期間にて前記第２の走査線に対応する前記液晶素子に供給したデータ信号と同一極性のデータ信号を、前記一のフィールド期間の前記第２サブフィールド期間にて当該液晶素子に供給しても良いし、一の前記フレームにおいて、一の前記組の前記走査線のうち一方を前記第１の走査線とし、他方を第２の走査線とし、前記第１の走査線を、互いに同一極性の前記データ信号が少なくとも２回連続して供給される前記他の走査線とし、前記第２の走査線を、正極性の前記データ信号と負極性の前記データ信号とが交互に供給される前記一部の走査線とし、前記一の組の前記一対の走査線に対応する液晶素子に対し、互いに同一極性のデータ信号を、前記一のフレーム期間における複数の前記フィールド期間各々の前記第１サブフィールド期間に供給しても良い。
また、前記一の組において、連続する第１のフレーム期間および第２のフレーム期間のうち、前記第１のフレーム期間では、前記奇数行の走査線を前記第１の走査線とし、前記第２のフレーム期間では、前記偶数行の走査線を前記第１の走査線とすれば、奇数行および偶数行の表示品位を揃えることが可能となる。
【図面の簡単な説明】
【０００７】
【図１】液晶表示装置を適用したプロジェクターの構成を示す図である。
【図２】第１実施形態に係る液晶表示装置の構成を示すブロック図である。
【図３】同液晶表示装置における画素の等価回路を示す図である。
【図４】同液晶表示装置における走査線駆動回路を示す図である。
【図５】同走査線駆動回路の動作を示す図である。
【図６】同液晶表示装置の動作を示すタイミングチャートである。
【図７】同液晶表示装置の画面を示す図である。
【図８】同実施形態に係る液晶表示装置の別動作を示す図である。
【図９】第２実施形態に係る液晶表示装置の動作を示す図である。
【図１０】同液晶表示装置の画面を示す図である。
【図１１】同実施形態に係る液晶表示装置の別動作を示す図である。
【図１２】比較例に係る液晶表示装置の動作を示す図である。
【発明を実施するための形態】
【０００８】
以下、本発明の実施形態について図面を参照して説明する。まず、第１実施形態に係る液晶表示装置の駆動方法について説明する。図１は、この液晶表示装置の駆動方法を適用したプロジェクターの光学的な構成を示す平面図である。
この図において、ＬＥＤ１１Ｒは、ダイクロイックプリズム１３の中心からみて１２時の方向に位置し、図において下方に向けてＲ（赤）の光を放つ発光ダイオードである。ＬＥＤ１１Ｒにより放たれたＲの光は、コリメーターレンズ１２Ｒによって、ほぼ平行な光束となる。同様に、ＬＥＤ１１Ｇ、１１Ｂは、それぞれ９時、６時の方向に位置し、図において右方、上方に向けてＧ（緑）、Ｂ（青）の光を放つ発光ダイオードである。ＬＥＤ１１Ｇ、１１Ｂにより放たれたＧ、Ｂの光についても、それぞれコリメーターレンズ１２Ｇ、１２Ｂによって、ほぼ平行な光束となる。
【０００９】
ダイクロイックプリズム１３は、互いに直交するダイクロイック面１３Ｒ、１３Ｂを有する。このうち、ダイクロイック面１３Ｒは、１２時の方向から入射したＲの光を反射して３時の方向に出射し、ダイクロイック面１３Ｂは、６時の方向から入射したＢの光を反射して３時の方向に出射する。一方、９時の方向から入射したＧの光は、ダイクロイック面１３Ｒ、１３Ｂを透過し、そのまま３時の方向に出射する。
【００１０】
ダイクロイックプリズム１３の出射面には、液晶表示パネル１００が配置する。この液晶表示パネル１００は、アクティブマトリクス型の透過型であり、画素毎に透過率を変調した透過像を生成する。投射レンズ群１４は、液晶表示パネル１００による透過像をスクリーン２００に拡大投射する光学系である。
【００１１】
次に、プロジェクター１における液晶表示装置１０について説明する。図２は、液晶表示装置１０の電気的な構成を示すブロックである。
この図に示されるように、液晶表示装置１０は、光源１１、制御回路２０、フレームメモリー３０、光源駆動回路４０および液晶表示パネル１００により構成される。
この液晶表示装置１０には、映像データＶdが図示省略した上位装置から各種の同期信号Ｓyncにしたがって供給される。詳細には、映像データＶdは、表示画像の各画素におけるＲＧＢの色成分の明るさ（階調）をそれぞれ指定するデジタルデータであり、同期信号Ｓyncに含まれる垂直走査信号、水平走査信号およびドットクロック信号（いずれも図示省略）にしたがって走査される画素の順で供給される。
【００１２】
制御回路２０は、上記同期信号Ｓyncに基づいて各部を制御する。例えば、制御回路２０は、同期信号Ｓyncにしたがって供給される映像データＶdを一旦フレームメモリー３０に記憶した後、フィールド期間に対応する色成分のデータを、後述するように当該フレームメモリー３０から読み出し、映像データＶsとして出力させる。光源駆動回路４０は、光源１１を構成するＬＥＤ１１Ｒ、１１Ｇ、１１Ｂの各々を、それぞれ制御回路２０による指示にしたがって点灯および消灯させるものである。
【００１３】
液晶表示パネル１００では、例えば４８０行の走査線１１２が図において横方向に延在し、また、６４０列のデータ線１１４が図において縦方向に延在し、かつ、各走査線１１２と互いに電気的に絶縁を保つように設けられるとともに、これらの走査線１１２とデータ線１１４との交点のそれぞれに対応して、画素１１０がそれぞれ配設されている。したがって、本実施形態において、画素１１０は、縦４８０行×横６４０列のマトリクス状に配列することになる。ここで、画素１１０の配列領域が表示領域１００ａである。
なお、便宜的に走査線１１２を区別するために、以下の説明では図において上から順に１、２、３、…、４８０行目という呼び方をする場合がある。同様に、データ線１１４を区別するために、図において左から順に１、２、３、…、６４０列目という呼び方をする場合がある。
【００１４】
走査線駆動回路１３０は、制御回路２０による制御にしたがって１、２、３、…、４８０行目の走査線１１２に、選択電圧に相当するＨレベル、または、非選択電圧に相当するＬレベルのいずれかである走査信号Ｇ1、Ｇ2、Ｇ3、…、Ｇ480を供給するものであるが、詳細については後述する。また、走査線に供給される走査信号が選択電圧（Ｈレベル）となる状態を、当該走査線が選択された、と言う場合がある。
データ線駆動回路１４０は、フレームメモリー３０から読み出された映像データＶsを、制御回路２０によって指定された書き込み極性のデータ信号に変換して、１〜６４０列のデータ線１１４にそれぞれ供給するものである。なお、１、２、３、…、６４０列目のデータ線１１４に供給されるデータ信号を、図２において、それぞれｄ1、ｄ2、ｄ3、…、ｄ640と表記している。
【００１５】
画素１１０について図３を参照して説明する。この図に示されるように、画素１１０においては、ｎチャネル型の薄膜トランジスター（thin film transistor：以下「ＴＦＴ」と略称する）１１６のソース電極がデータ線１１４に接続されるとともに、ドレイン電極が画素電極１１８に接続される一方、ゲート電極が走査線１１２に接続されている。
画素電極１１８は、画素毎に設けられるのに対して、コモン電極１０８は、画素電極１１８のすべてに対向するように全画素に対して共通に設けられる。なお、このコモン電極１０８には、図示省略した電源回路によって電圧ＬＣcomが印加される。
コモン電極１０８と画素電極１１８との間に液晶１０５が挟持され、これにより液晶素子１２０が構成される。このため、画素１１０毎に、画素電極１１８、コモン電極１０８および液晶１０５からなる液晶素子１２０が設けられることになる。
このような構成の液晶素子１２０は、コモン電極１０８および画素電極１１８の間で容量性によって電圧を保持するとともに、保持した電圧の実効値に応じた透過率となる。
【００１６】
次に、液晶表示装置１０におけるフレームの構成について図６を参照して説明する。
この図に示されるように、液晶表示装置１０では、フレーム期間が、ＲＧＢのそれぞれに対応したフィールド期間Ｒ-f、Ｇ-f、Ｂ-fに３分割される。このうち、フィールド期間Ｒ-fは、さらに時間的に前のサブフィールド期間（第１サブフィールド期間）Ｒ-sf1と、時間的に後のサブフィールド期間（第２サブフィールド期間）Ｒ-sf2と、それ以外の帰線期間とに分けられる。同様に、フィールド期間Ｇ-f（Ｂ-f）についても、２つのサブフィールド期間Ｇ-sf1、Ｇ-sf2（Ｂ-sf1、Ｂ-sf2）と、それ以外の帰線期間とに、それぞれ分けられる。
【００１７】
ここで、フレーム期間とは、液晶表示パネル１００や光源１１を駆動することによって、カラー画像の１コマ分を表示させるために要する期間をいい、同期信号Ｓyncに含まれる垂直走査信号の周波数が６０Ｈｚであれば、その逆数である１６．７ミリ秒である。垂直走査信号で規定される垂直走査期間と、液晶表示パネル１００を駆動するためのフレーム期間とは、期間長でみれば同一ある。ただし、本実施形態では、同期信号Ｓyncに同期して供給される映像データＶdを、一旦、フレームメモリー３０に記憶した後に読み出すとともに、この読み出しに合わせて液晶表示パネル１００等を駆動するので、ある画像の１コマ分を表示するためのフレーム期間は、当該画像を規定する映像データＶdが供給される垂直走査期間よりも時間的に遅延した関係にある。
【００１８】
なお、書き込み極性については、データ信号の電圧を、振幅中心である基準電圧に対して高位側とするときを正極性とし、低位側とするときを負極性としており、制御回路２０がデータ線駆動回路１４０に対して極性指定信号Ｆrpによって指定する。
本実施形態では、図６に示されるように、奇数フレーム期間のうち、フィールド期間Ｒ-f、Ｂ-fにて正極性が、フィールド期間Ｇ-fにて負極性が、それぞれ指定され、続く偶数フレーム期間のうち、フィールド期間Ｇ-fにて正極性が、フィールド期間Ｒ-f、Ｂ-fにて負極性が、それぞれ指定される。
電圧については、液晶素子において印加・保持される電圧を除き、図示省略した電源の接地電位を電圧ゼロの基準としている。また、コモン電極１０８に印加される電圧ＬＣcomは、ＴＦＴ１１６によるフィールドスルーを考慮して、データ信号の振幅中心である基準電圧に対して若干低位となるように設定してある。
【００１９】
次に、このようなフレームの構成に合わせて走査線を走査する走査線駆動回路１３０の構成について図４を参照し説明する。
この図に示されるように、走査線駆動回路１３０は、シフトレジスタ１３１、奇数（１、３、５、…、４７９）行に対応するＡＮＤ回路１３３および偶数（２、４、６、…、４８０）行に対応するＡＮＤ回路１３４を有する。
このうち、シフトレジスタ１３１は、走査線数「４８０」の半分である２４０段の単位回路１３２を、ある段の単位回路からの出力信号を次段の単位回路の入力信号とするように縦続接続した構成としたものであるが、初段である１段目の単位回路１３２には、入力信号として、制御回路２０からスタートパルスＤyが供給される。
ここで、各段の単位回路１３２は、制御回路２０から供給されるクロック信号Ｃlyの半周期だけ入力信号を遅延させた信号と、当該入力信号と、の論理積信号を出力信号とするものである。
【００２０】
各段の単位回路１３２による出力信号は、それぞれ２分岐されて、ＡＮＤ回路１３３の入力端の一方と偶数行に対応するＡＮＤ回路１３４の入力端の一方とに供給される。ＡＮＤ回路１３３の他方の入力端には、それぞれ制御回路２０からイネーブル信号Ｅnb-1が供給され、ＡＮＤ回路１３４の他方の入力端には、それぞれ制御回路２０からイネーブル信号Ｅnb-2が供給される。そして、奇数の１、３、５、…、４７９行目のＡＮＤ回路１３３による論理積信号が、それぞれ走査信号Ｇ1、Ｇ3、Ｇ5、…、Ｇ479として、また、偶数の２、４、６、…、４８０行目のＡＮＤ回路１３４による論理積信号が、それぞれ走査信号Ｇ2、Ｇ4、Ｇ6、…、Ｇ480として、それぞれ走査線１１２に供給される。
【００２１】
図５に示されるように、クロック信号Ｃlyは、デューティ比が５０％のパルス信号であって、１つのサブフィールド期間において、走査線数「４８０」の１／４である１２０周期となる信号である。また、スタートパルスＤyは、クロック信号Ｃlyの１周期分の幅を有し、同図に示されるように、サブフィールド期間が開始するタイミングよりもクロック信号Ｃlyの半周期分だけ先んじたタイミングにて供給される。
１段目の単位回路１３２から出力される信号Ｓr1は、スタートパルスＤyと当該スタートパルスＤyをクロック信号Ｃlyの半周期だけ遅延させた信号との論理積となるので、当該スタートパルスＤyの後半部分となり、以下２、３、４、…、２４０段目の単位回路１３２から出力される信号Ｓr2、Ｓr3、Ｓr3、…、Ｓr240は、当該信号Ｓr1をクロック信号Ｃlyの半周期ずつ順番に遅延させた関係となる。
【００２２】
次に、液晶表示装置１０における表示動作について図６を参照して説明する。
奇数フレーム期間におけるフィールド期間Ｒ-fのうち、１回目のサブフィールド期間Ｒ-sf1において、制御回路２０は、次のように各部を制御する。
まず、制御回路２０は、サブフィールド期間Ｒ-sf1において、光源１１に対し、すべてのＬＥＤを消灯させるように光源駆動回路４０に指示するとともに、極性指定信号Ｆrpによって正極性を指定する。
また、制御回路２０は、サブフィールド期間Ｒ-sf1において、イネーブル信号Ｅnb-1、Ｅnb-2をともにＨレベルとする。このため、シフトレジスタ１３１における各段の転送回路１３２の出力信号が、そのまま走査信号として出力される。詳細には、１段目の転送回路１３２の出力信号Ｓr1が走査信号Ｇ1、Ｇ2として、２段目の転送回路１３２の出力信号Ｓr2が走査信号Ｇ3、Ｇ4として、３段目の転送回路１３２の出力信号Ｓr3が走査信号Ｇ5、Ｇ6として、以下同様にして２４０段目の転送回路１３２の出力信号Ｓr240が走査信号Ｇ479、Ｇ480として、それぞれ出力される。このため、サブフィールド期間Ｒ-sf1においては、１・２行目、３・４行目、５・６行目、…、４７９・４８０行目というように、奇数行および当該奇数行に続く偶数行が２行ずつ順番に同時にＨレベルとなる。
【００２３】
一方、制御回路２０は、サブフィールド期間Ｒ-sf1において、フレームメモリー３０およびデータ線駆動回路１４０を、次のように制御する。すなわち、制御回路２０は、奇数行と偶数行との２行への走査信号が同時にＨレベルとなる前に、当該２行のうち、奇数行の走査線１１２に位置する１〜６４０列のＲ成分の映像データＶsをフレームメモリー３０から読み出して、データ線駆動回路１４０に転送するとともに、データ線駆動回路１４０に対して、当該１〜６４０列のＲ成分の映像データＶsを正極性のデータ信号に変換し、奇数行と偶数行との走査信号が同時にＨレベルとなったときに、１〜６４０列のデータ線１１４に一斉に出力させるように制御する。
この制御により、データ線駆動回路１４０は、走査信号がＨレベルとなる奇数行および偶数行のうち、奇数行に位置する画素行のデータ信号ｄ1、ｄ2、ｄ3、…、ｄ640（すなわち、Ｒ成分の階調に応じた正極性のデータ信号）を、１、２、３、…、６４０列目のデータ線１１４にそれぞれ出力する。
【００２４】
奇数行および偶数行の走査信号が同時にＨレベルとなったとき、当該２行の走査線１１２に位置する画素１１０のＴＦＴ１１６がオンするので、ある１列のデータ線１１４に着目したとき、映像データのうちのＲ成分に基づく正極性のデータ信号が、当該２行と着目列のデータ線１１４との交点に対応した２画素の画素電極１１８にそれぞれ印加されて、書き込まれる。
この動作は、１〜６４０列の液晶素子１２０にわたって実行され、さらに、１・２行目、３・４行目、５．６行目、…、４７９・４８０行目というように２行ずつ、順番で実行される。これにより、サブフィールド期間Ｒ-sf1の終了時では、奇数行と、この下方の偶数行とにおいて、列毎に、液晶素子が同じ透過率となる。
ただし、１回目のサブフィールド期間Ｒ-sf1では、光源１１におけるすべてのＬＥＤが消灯している。このため、サブフィールド期間Ｒ-sf1の書き込みによる表示状態が、サブフィールド期間Ｒ-sf1において観察者によって視認されることはない。
【００２５】
次に、奇数フレーム期間におけるフィールド期間Ｒ-fのうち、２回目のサブフィールド期間Ｒ-sf2において、制御回路２０は、次のように各部を制御する。
制御回路２０は、サブフィールド期間Ｒ-sf2において、光源１１に対し、ＲのＬＥＤ１１Ｒだけを点灯させるように光源駆動回路４０に指示するとともに、極性指定信号Ｆrpによる書き込み極性の指定を正極性に維持する。
また、制御回路２０は、サブフィールド期間Ｒ-sf2において、イネーブル信号Ｅnb-1をＬレベルに切り替えるが、イネーブル信号Ｅnb-2についてはＨレベルに維持する。このため、各段の転送回路１３２の出力信号は、偶数行については、そのまま走査信号として出力されるが、奇数行については、ＡＮＤ回路１３３によって強制的にＬレベルに置換される。このため、サブフィールド期間Ｒ-sf2においては、２、４、６、…、４８０行目というように偶数行だけが順番にＨレベルとなる。
【００２６】
一方、制御回路２０は、サブフィールド期間Ｒ-sf2において、フレームメモリー３０およびデータ線駆動回路１４０を、次のように制御する。すなわち、制御回路２０は、偶数行の走査信号がＨレベルとなる前に、その偶数行の走査線１１２に位置する１〜６４０列のＲ成分の映像データＶsをフレームメモリー３０から読み出して、データ線駆動回路１４０に転送するとともに、データ線駆動回路１４０に対して、当該１〜６４０列のＲ成分の映像データを正極性のデータ信号に変換し、偶数行への走査信号がＨレベルとなったときに、１〜６４０列のデータ線１１４に一斉に出力させるように制御する。
これにより、データ線駆動回路１４０は、Ｈレベルとなる偶数行に位置する画素のデータ信号ｄ1、ｄ2、ｄ3、…、ｄ640を、すなわち、Ｒ成分の階調に応じた正極性のデータ信号を、対応するデータ線１１４にそれぞれ出力する。
【００２７】
偶数行の走査線１１２への走査信号がＨレベルとなったとき、ある１列のデータ線１１４に着目したとき、当該着目列のデータ信号の電圧が、当該偶数行と着目列との交点に対応した画素の画素電極１１８に印加されて、書き込まれる。この動作は、１〜６４０列の液晶素子１２０にわたって実行され、さらに、２、４、６、…、４８０行目というように順番に実行される。なお、２回目のサブフィールド期間Ｒ-sf2では、奇数行の液晶素子に対し書き込みが実行されないので、１回目のサブフィールド期間Ｒ-sf1で書き込まれた電圧に保持される。
したがって、Ｒのフィールド期間においてサブフィールド期間Ｒ-sf2の終了時では、奇数行では、サブフィールド期間Ｒ-sf1での書き込みによる階調に保持される一方、偶数行では、サブフィールド期間Ｒ-sf2による２回目の書き込みによる階調となる。
Ｒのフィールド期間Ｒ-fのうち、２回目のサブフィールド期間Ｒ-sf2が終了してから、次のＧのフィールド期間Ｇ-fが開始するまでの帰線期間においても、制御回路２０は、ＲのＬＥＤ１１Ｒを発光し続けるように制御する。
【００２８】
２回目のサブフィールド期間Ｒ-sf2では、ＲのＬＥＤ１１Ｒが発光しているので、偶数行については、書き込みがなされるまでは、１回目のサブフィールド期間Ｒ-sf1での書き込みによる階調を保持し、２回目のサブフィールド期間Ｒ-sf2での書き込みによって本来の階調となる。このため、上の行ほど本来の階調で視認される時間的な割合が高くなり、下の行となるにつれて、本来の階調で視認される割合が低くなる。ただし、平均的にみれば、偶数行において本来の階調で視認される割合は、おおよそ半分となり、もともと奇数行では、１回目のサブフィールド期間Ｒ-sf1で書き込みが完了して、本来の階調で視認されるので、解像度の低下は余り問題とならない。
このようにして、サブフィールド期間Ｒ-sf2および直後の帰線期間にわたって、フルカラー画像のうち、Ｒ成分の画像が観察者に視認されることになる。
【００２９】
次に、Ｇのフィールド期間Ｇ-fについて説明する。
Ｒのフィールド期間Ｒ-fは、Ｒ成分の映像データＶsに基づくデータ信号を書き込む動作であったが、このＧのフィールド期間Ｇ-fは、Ｇ成分の映像データＶsに基づくデータ信号を書き込む動作であり、図６に示されるように書き込み極性が負極性に反転する点、および、光源１１のうち、ＬＥＤ１１Ｇが２回目のサブフィールド期間以降において発光する点以外、Ｒのフィールド期間Ｒ-fと同様な動作となる。
したがって、Ｇのフィールド期間Ｇ-fのうち、１回目のサブフィールド期間Ｇ-sf1では、すべてのＬＥＤが消灯し、奇数および偶数行の走査線１１２への走査信号が２行ずつ上から順番にＨレベルとなり、２行のうち、奇数行に位置する画素の映像データに基づいたＧ成分の階調に応じた負極性のデータ信号が当該奇数行および当該奇数行の下に隣接する偶数行の液晶素子に書き込まれ、続く、２回目のサブフィールド期間Ｇ-sf2では、ＧのＬＥＤ１１Ｇだけが発光するとともに、偶数行の走査線１１２への走査信号だけが上から順番にＨレベルとなり、Ｈレベルとされた偶数行において、Ｇ成分の階調に応じた負極性のデータ信号が書き込まれる。
これにより、Ｇのサブフィールド期間Ｇ-sf2および直後の帰線期間にわたって、フルカラー画像のうち、Ｇ成分の画像が観察者に視認されることになる。
【００３０】
続く、Ｂのフィールド期間Ｂ-fについては、Ｂ成分の映像データＶsに基づくデータ信号を書き込む動作であり、図６に示されるように、書き込み極性が再び正極性となるので、光源１１のうち、ＬＥＤ１１Ｂが２回目のサブフィールド期間以降において発光する点以外、Ｒのフィールド期間Ｒ-fと同様な動作となる。
したがって、Ｂのフィールド期間Ｂ-fのうち、１回目のサブフィールド期間Ｂ-sf1では、すべてのＬＥＤが消灯し、奇数および偶数行の走査線１１２への走査信号が２行ずつ上から順番にＨレベルとなり、２行のうち、奇数行に位置する画素の映像データに基づいたＢ成分の階調に応じた正極性のデータ信号が当該奇数行および当該奇数行の下に隣接する偶数行の液晶素子に書き込まれ、続く、２回目のサブフィールド期間Ｂ-sf2では、ＢのＬＥＤ１１Ｂだけが発光するとともに、偶数行の走査線１１２への走査信号だけが上から順番にＨレベルとなり、Ｈレベルとされた偶数行の画素行において、Ｂ成分の階調に応じた正極性のデータ信号が書き込まれる。
これにより、Ｂのサブフィールド期間Ｂ-sf2および直後の帰線期間にわたって、フルカラー画像のうち、Ｂ成分の画像が観察者に視認されることになる。
【００３１】
このように、フィールド期間Ｒ-f、Ｇ-f、Ｂ-fで、それぞれＲ成分、Ｇ成分、Ｂ成分の原色画像が作成されるので、１フレーム期間でみれば、フルカラー画像に合成されて観察者に視認されることになる。
なお、偶数フレーム期間では、各フィールド期間において書き込み極性が反転する。詳細には、偶数フレーム期間のうち、フィールド期間Ｒ-f、Ｂ-fでは負極性に、フィールド期間Ｇ-fでは正極性に、それぞれ書き込み極性が反転する。これにより、奇数および偶数フレーム期間の２フレーム期間を単位としてみたときに、液晶素子１２０が交流駆動されるので、直流成分の印加が回避される。
【００３２】
さらに、本実施形態では、各色のフィールド期間毎に書き込み極性が反転している。詳細には、奇数フレーム期間において、フィールド期間Ｒ-fで視認されるＲ成分の画像は、図７（ａ）に示されるように全画素正極性であり、次のフィールド期間Ｇ-fで視認されるＧ成分の画像は、図７（ｂ）に示されるように全画素負極性であり、フィールド期間Ｂ-fで視認されるＢ成分の画像は、図７（ａ）に示されるように全画素正極性である。続く偶数フレーム期間において、フィールド期間Ｒ-fで視認されるＲ成分の画像は、図７（ｂ）に示されるように全画素負極性であり、フィールド期間Ｇ-fでは、図７（ａ）に示されるように全画素正極性であり、フィールド期間Ｂ-fでは、図７（ｂ）に示されるように全画素負極性である。そして以下、このような奇数フレーム期間と偶数フレーム期間との繰り返しである。このため、本実施形態では、ディスクリネーションの発生が抑えられて高品位な表示が可能となる。
【００３３】
ところで、図１２に示されるように、フレーム期間をフィールド期間Ｒ-f、Ｇ-f、Ｂ-fに分割するとともに、各フィールド期間において走査信号を１行ずつ順番にＨレベルとすることによって、原色成分の画像を書き込む方法では、１〜４８０行目の走査線に対する書込期間が終了した後の帰線期間において、対応する色のＬＥＤを発光させなければならないので、発光期間を長くすることができない。このため、画面の明るさを確保するためには、光源として高輝度タイプのＬＥＤを採用する必要があり、高コスト化等を招く。
これに対して、本実施形態では、１回目のサブフィールド期間Ｒ-f、Ｇ-f、Ｂ-fにおいて走査線への走査信号を２行ずつ同時にＨレベルとしているので、書き込みに要する書込期間を、１行ずつ走査線を選択する方式（図１２参照）と比較すると、おおよそ半分に短縮化することができる。そして、この短縮により確保した２回目のサブフィールド期間以降において、対応する色のＬＥＤを発光させているので、光源に高輝度タイプの用いなくても画面を明るくすることができるとともに、偶数行の書きこみをしているので、解像度の低下を認識させないで済ませることが可能となる。
【００３４】
さらに、本実施形態では、偶数行において、本来の階調に応じた電圧が書き込まれる２回目のサブフィールド期間（Ｒ-sf2、Ｇ-sf2、Ｂ-sf2）の前に、１回目のサブフィールド期間（Ｒ-sf1、Ｇ-sf1、Ｂ-sf1）において、すでに同極性であって隣接する画素の電圧が書き込まれているので、液晶素子１２０に対する書き込み特性が向上する。このため、本実施形態では、書込特性のばらつきが抑制されるので、フリッカーの発生が抑えられるだけでなく、直流成分の印加が防止されて、液晶表示パネル１００の長寿命化を図ることも可能となる。
なお、上記実施形態において奇数行・偶数行における書き込みの関係を、逆転させても良い。
【００３５】
ところで、上述した第１実施形態では、１回目のサブフィールド期間（Ｒ-sf1、Ｇ-sf1、Ｂ-sf1）おいて２行に書き込まれるデータ信号は、奇数行のものであり、２回目のサブフィールド期間（Ｒ-sf2、Ｇ-sf2、Ｂ-sf2）において、対応する色のＬＥＤを発光させるとともに、順次Ｈレベルとする偶数行の画素に対して、同色成分のデータ信号を書き込む構成とした。この関係を固定化すると、常に、偶数行の画素は、奇数行の画素よりも品位が劣ってしまうことになる。
そこで、図８に示されるように、奇数フレーム期間では、図６に示した実施形態と同様とし、続く偶数フレーム期間では、１回目のサブフィールド期間（Ｒ-sf1、Ｇ-sf1、Ｂ-sf1）において２行に書き込まれるデータ信号を、偶数行のものとし、２回目のサブフィールド期間（Ｒ-sf2、Ｇ-sf2、Ｂ-sf2）において、奇数行だけを順番にＨレベルとして、奇数行のデータ信号を書き込んでも良い。
そのために、制御回路２０は、偶数フレーム期間において、イネーブル信号Ｅnb-1についてはＨレベルに維持する一方、イネーブル信号Ｅnb-2については、１回目のサブフィールド期間（Ｒ-sf1、Ｇ-sf1、Ｂ-sf1）においてＨレベルとし、２回目のサブフィールド期間（Ｒ-sf2、Ｇ-sf2、Ｂ-sf2）においてＬレベルとする。これにより、走査線駆動回路１３０は、偶数フレーム期間において、１回目のサブフィールド期間（Ｒ-sf1、Ｇ-sf1、Ｂ-sf1）おいて奇数行およびこれに続く偶数行の２行を順番にＨレベルとし、２回目のサブフィールド期間（Ｒ-sf 2、Ｇ-sf2、Ｂ-sf2）において、奇数行だけを順番にＨレベルとするような走査信号Ｇ1〜Ｇ480を出力することになる。
【００３６】
図８に示すような駆動方法によれば、図６に示した実施形態と比較して、奇数行と偶数行との表示品位に差がなくなるので、表示品位のさらなる向上が可能となる。また、書込特性が向上する画素行も奇数行に固定化されることなく、奇数行および偶数行で交互に切り替えられるので、フリッカーの発生が抑えられるだけでなく、液晶表示パネル１００の全体の長寿命化を図ることも可能となる。
【００３７】
次に、フリッカーのさらなる低減を図った第２実施形態について説明する。第２実施形態は、極性指定信号Ｆrpによって指定される書き込み極性の反転周期を、図９に示されるように変更したものである。詳細には、同図に示されるように、奇数フレーム期間のうち、１回目のサブフィールド期間（Ｒ-sf1、Ｇ-sf1、Ｂ-sf1）において正極性を、２回目のサブフィールド期間（Ｒ-sf2、Ｇ-sf2、Ｂ-sf2）において負極性をそれぞれ指定し、偶数フレーム期間のうち、１回目のサブフィールド期間において負極性を、２回目のサブフィールド期間において正極性をそれぞれ指定するように変更したものである。
【００３８】
このように書き込み極性を変更すると、奇数フレーム期間のうち、サブフィールド期間Ｒ-fでは、１回目のサブフィールド期間Ｒ-sf1において、奇数行と、当該奇数行と下方に隣接する偶数行との画素が正極性となるが、２回目のサブフィールド期間Ｒ-sf2において、偶数行だけが負極性に書き直される。このため、フィールド期間Ｒ-fで視認されるＲ成分の画像は、図１０（ａ）に示されるように奇数行が正極性となり、偶数行が負極性となる。サブフィールド期間Ｇ-f（Ｂ-f）についても、サブフィールド期間Ｒ-fと同様であり、フィールド期間Ｇ-f（Ｂ-f）で視認されるＧ（Ｂ）成分の画像は、図１０（ａ）に示されるように奇数行が正極性となり、偶数行が負極性となる。一方、偶数フレーム期間では、書き込み極性が反転して、サブフィールド期間Ｒ-f（Ｇ-f、Ｂ-f）では、１回目のサブフィールド期間Ｒ-sf1（Ｇ-sf1、Ｂ-sf1）において、奇数行と、当該奇数行と下方に隣接する偶数行との画素が負極性となるが、２回目のサブフィールド期間Ｒ-sf2（Ｇ-sf2、Ｂ-sf2）において、偶数行だけが正極性に書き直されるので、当該フィールド期間Ｒ-f（Ｇ-f、Ｂ-f）で視認されるＲ（Ｇ、Ｂ）成分の画像は、図１０（ｂ）に示されるように奇数行が負極性となり、偶数行が正極性となる。なお以下、このような奇数フレーム期間と偶数フレーム期間との繰り返しである。
【００３９】
したがって、第２実施形態では、書き込み極性の異なる画素が時間的のみならず、空間的にも分散するので、フリッカーをさらに抑制することが可能となる。
また、第２実施形態では、サブフィールド期間Ｒ-sf1における奇数行、サブフィールド期間Ｇ-sf1（Ｂ-sf1）における奇数行では、電圧の書き込みの際に、それぞれ直前のサブフィールド期間において、すでに同極性の電圧が書き込まれているので、液晶素子１２０に対する書き込み特性が向上する。したがって、第２実施形態においても、書込特性のばらつきが抑制されるので、フリッカーの発生が抑えられるだけでなく、直流成分の印加が防止されて、液晶表示パネル１００の長寿命化を図ることも可能となる。
【００４０】
ところで、第２実施形態においても、第１実施形態と同様に、１回目のサブフィールド期間（Ｒ-sf1、Ｇ-sf1、Ｂ-sf1）において２行に書き込まれるデータ信号は、奇数行のものであり、２回目のサブフィールド期間（Ｒ-sf2、Ｇ-sf2、Ｂ-sf2）において偶数行が書き込まれるので、偶数行の画素は、奇数行の画素よりも品位が劣ってしまうことになる。
そこで、図１１に示されるように、奇数フレーム期間では、図６に示した第１実施形態や図９に示した第２実施形態と同様とし、続く偶数フレーム期間では、図８に示した例のように１回目のサブフィールド期間（Ｒ-sf1、Ｇ-sf1、Ｂ-sf1）において２行に書き込まれるデータ信号を偶数行のものとし、２回目のサブフィールド期間（Ｒ-sf2、Ｇ-sf2、Ｂ-sにおいて、図１１に示されるように奇数行に対して書き込みをすれば良い。
このため、図１１に示されるような駆動方法によれば、フリッカーをさらに抑制した上で、奇数行と偶数行との表示品位に差がなくなるので、表示品位のさらなる向上が可能となり、さらに、液晶表示パネル１００の全体の長寿命化を図ることも可能となる。
【００４１】
なお、上述した実施形態等では、１回目のサブフィールド期間（Ｒ-sf1、Ｇ-sf1、Ｂ-sf1）において、走査信号を２行ずつ同時にＨレベルとしたが、３行以上同時にＨレベルとし、Ｈレベルとした３行以上のうち、いずれかの１行のデータ信号を供給する構成としても良い。
例えば、１回目のサブフィールド期間において、走査信号を３行ずつ同時にＨレベルとする場合、１・２・３、４・５・６、７・８・９、…、４７８・４７９・４８０行目というように、隣接する３行ずつ順番に同時にＨレベルとして、１、４、７、…、４７８行のデータ信号を再度書き込み、２回目のサブフィールド期間において、２、５、８、…、４７９行を選択してデータ信号を書き込み、３回目のサブフィールド期間において、３、６、９、…、４８０行を選択してデータ信号を書き込めば良い。
【００４２】
また、上述した実施形態では、２回目のサブフィールド期間（Ｒ-sf2、Ｇ-sf2、Ｂ-sf2）に加えて、帰線期間においても、ＬＥＤを発光させたが、２回目のサブフィールド期間の発光だけで十分な明るさが得られるのであれば、帰線期間の全期間または一部期間において消灯させても良い。
【００４３】
上述した実施形態では、用いる原色をＲ・Ｇ・Ｂの３色として、フレーム期間をこれらの色に対応して３つのフィールド期間に分けたが、原色を４つ以上とし、フレーム期間をこれら用いる原色に対応して４つ以上のフィールド期間に分けても良い。例えばＲ・Ｇ・Ｂのうち、Ｇを、短波長寄りのＹＧ（黄緑）と、長波長寄りのＥＧ（エメラルドグリーン）に分けて、これらの４色として、フレーム期間をこれらの色に対応して４つのフィールド期間に分けても良い。
原色を４つ以上とする場合、ダイクロイックプリズムが２以上必要となる。上述したＲ、ＹＧ、ＥＧ、Ｂを用いる場合であれば、例えば図１においてダイクロイックプリズム１３の９時方向に、別のダイクロックプリズムを配置させて、このうち、２面でＹＧ、ＥＧ光を入射して、ダイクロイックプリズム１３に導く構成とすれば良い。
さらに、液晶表示パネル１００の透過像を拡大投射する投射型ではなくて、バックライトの光源を原色毎に切り替える直視型にも適用可能である。また、画素１１０については透過型に限られず、反射型であっても良い。
【符号の説明】
【００４４】
１…プロジェクター、１０…液晶表示装置、１１…光源、１１Ｒ、１１Ｇ、１１Ｂ…ＬＥＤ、２０…制御回路、４０…光源駆動回路、１００…液晶表示パネル、１０５…液晶、１０８…コモン電極、１１８…画素電極、１２０…液晶素子、１３０…走査線駆動回路、１４０…データ線駆動回路
【図１】
2010181452.tif 000003
【図２】
2010181452.tif 000004
【図３】
2010181452.tif 000005
【図４】
2010181452.tif 000006
【図５】
2010181452.tif 000007
【図６】
2010181452.tif 000008
【図７】
2010181452.tif 000009
【図８】
2010181452.tif 000010
【図９】
2010181452.tif 000011
【図１０】
2010181452.tif 000012
【図１１】
2010181452.tif 000013
【図１２】
2010181452.tif 000014